(57)【要約】【課題】  パッキンの廻りを防止し、パッキンが鍔の位置決めとなり、足掛具が安定してマンホール壁面に設置されるマンホ―ル等用足掛具を提供する。【解決手段】  足踏部２とその両側に位置する側部３とコンクリート壁内に挿入される脚部４とを有し、これら足踏部と側部及び脚部の一部とを芯金５とそれを覆う合成樹脂６で一体成形し、前記側部と脚部との境界部位にパッキン１２を介してコンクリート壁面に当接可能な鍔１３を前記合成樹脂で一体成形したマンホ―ル等用足掛具において、前記パッキンの中心部に前記脚部挿通用の孔１５が形成されると共に断面形状がテーパー状であり、前記鍔の外周近傍で前記パッキンとの対向面に複数の突起１４が形成され、前記パッキンの鍔との対向面に前記鍔に形成した各突起が挿入される凹孔１６が形成されたマンホ―ル等用足掛具。【選択図】        図１
2005232770.tif 000002
【特許請求の範囲】
【請求項１】
足踏部とその両側に位置する側部とコンクリート壁内に挿入される脚部とを有し、これら足踏部と側部及び脚部の一部とを芯金とそれを覆う合成樹脂で一体成形し、前記側部と脚部との境界部位にパッキンを介してコンクリート壁面に当接可能な鍔を前記合成樹脂で一体成形したマンホ―ル等用足掛具において、前記パッキンの中心部に前記脚部挿通用の孔を形成すると共に断面形状をテーパー状とし、前記鍔の外周近傍で前記パッキンとの対向面に複数の突起を形成し、前記パッキンの鍔との対向面に前記鍔に形成した各突起が挿入される凹孔を形成したことを特徴とするマンホ―ル等用足掛具。
【請求項２】
前記パッキンとして、マンホール壁面の湾曲度に適合すべくテーパー角の異なるものを採用するようにしたことを特徴とする請求項１に記載のマンホ―ル等用足掛具。
【発明の詳細な説明】
【技術分野】
【０００１】
本発明は、足踏部とその両側に位置する側部とコンクリート壁内に挿入される脚部とを有するマンホ―ル等用足掛具に関するものである。
【背景技術】
【０００２】
従来，足踏部とその両側に位置する側部とコンクリート壁内に挿入される脚部とを有し、これら足踏部と側部及び脚部の一部とを芯金とそれを覆う合成樹脂で一体成形し、前記側部と脚部との境界部位にパッキンを介してコンクリート壁面に当接可能な鍔を前記合成樹脂で一体成形し、前記脚部の一部を覆う合成樹脂の先端部に段部を形成すると共に該先端部から芯金を延出させ、該延出部に止水パッキンを構成するスペーサーを配置し、該スペーサーをナットによって締め付けるようにしたマンホ―ル等用足掛具がある（例えば特許文献１参照。）。
【０００３】
【特許文献１】登録実用新案第３０８０２０４号公報
【発明の開示】
【発明が解決しようとする課題】
【０００４】
ところで、前記従来の技術では、側部と脚部との境界部位に形成された鍔をコンクリート壁面に当接させるためにパッキンを脚部に挿入して鍔とコンクリート壁面の間に配置しているが鍔とパッキンのそれぞれの当接面を平面のみで構成しているものを用いているので、これらの取付時及び使用中にパッキンが回ってしまったり、マンホール壁面の湾曲度により鍔が確実にコンクリート壁面に当接されない、という虞があった。
【０００５】
本発明は、従来の技術の有するこのような問題点に鑑みてなされたものであり、その目的とするところは、パッキンの廻りを防止し、パッキンが鍔の位置決めとなり、足掛具が安定してマンホール壁面に設置されるマンホ―ル等用足掛具を提供しようとするものである。
【０００６】
また、鍔が確実にコンクリート壁面に当接され、足掛具がより安定してマンホール壁面に設置されるマンホ―ル等用足掛具を提供しようとするものである。
【課題を解決するための手段】
【０００７】
上記目的を達成するために、本発明におけるマンホ―ル等用足掛具は、足踏部とその両側に位置する側部とコンクリート壁内に挿入される脚部とを有し、これら足踏部と側部及び脚部の一部とを芯金とそれを覆う合成樹脂で一体成形し、前記側部と脚部との境界部位にパッキンを介してコンクリート壁面に当接可能な鍔を前記合成樹脂で一体成形したマンホ―ル等用足掛具において、前記パッキンの中心部に前記脚部挿通用の孔を形成すると共に断面形状をテーパー状とし、前記鍔の外周近傍で前記パッキンとの対向面に複数の突起を形成し、前記パッキンの鍔との対向面に前記鍔に形成した各突起が挿入される凹孔を形成したことを特徴とするものである。
【０００８】
また、前記パッキンとして、マンホール壁面の湾曲度に適合すべくテーパー角の異なるものを採用するようにしたことを特徴とするものである。
【発明の効果】
【０００９】
以上のように、パッキンの中心部に脚部挿通用の孔を形成すると共に断面形状をテーパー状とし、鍔の外周近傍でパッキンとの対向面に複数の突起を形成し、パッキンの鍔との対向面に鍔に形成した各突起が挿入される凹孔を形成したので、パッキンの廻りを防止し、パッキンが鍔の位置決めとなり、足掛具が安定してマンホール壁面に設置され、長期使用に耐え得るマンホ―ル等用足掛具となる。
【００１０】
また、パッキンをマンホール壁面の湾曲度に適合すべくテーパー角の異なるものを採用するようにしたので、鍔が確実にコンクリート壁面に当接され、足掛具がより安定してマンホール壁面に設置されるマンホ―ル等用足掛具となる。
【発明を実施するための最良の形態】
【００１１】
図１ないし図４は本発明に係るマンホール等用足掛具の実施例に関するものであり、図１は本発明に係るマンホ―ル等用足掛具の平面図、図２はその正面図、図３はその側面図、図４は足掛具の側部及び脚部の要部説明図である。
【００１２】
図において、１は足掛具の全体を示すものであり、該足掛具１は、足踏部２とその両側に位置する側部３，３とコンクリート壁等に取付けられる脚部４，４とで構成され、これら足踏部２、側部３及び脚部４の一部とは平面視略コ字状をした鉄製の芯金５にポリプロピレン等の合成樹脂６を一体成形し防錆被覆してなるものである。
【００１３】
そして、前記足踏部２の上面には、全域にわたって滑り止め模様７，７…が形成されており、これによって作業者等の足が足踏部２の如何なる部位に乗っても滑べることがなく安全に昇降できるようになっている。
また、前記足踏部２の両端近傍で前記側部３より内側で前記滑り止め模様７を挟んで間には目立ち易い例えば赤色の反射体８，８が取り付けられており、足踏部２の存在位置を明確にして作業者等のより安全な昇降を可能にしている。
【００１４】
また、足踏部２の内側側面の軸線方向には波形の握り部９が形成され、さらに該足踏部２の下面の軸線方向にも波形で表面に凹凸１０のある握り部１１が形成されている。
この場合、足掛具１を昇降者が昇降する際に、昇降者は両足を乗せている足掛具１の数段上の足掛具１を両手で握って昇降するのが通常考えられるが、足踏部２の内側側面の軸線方向に波形を形成することで握り易くなり、さらに足踏部２の下面の軸線方向にも波形で表面に凹凸を形成することによって、これら波形で表面の凹凸が指先の確実な滑べり止めとなって、両手の滑りを防止し昇降者は安全に足掛具１を昇降することができるようになっている。
【００１５】
また、該側部３，３と両脚部４，４の各境界部位には、樹脂製パッキン１２を介してコンクリート壁面（図示せず）に当接されるように鍔１３，１３を前記合成樹脂６で一体成形されており、足掛具１をコンクリート壁に取り付ける際に、該鍔１３がコンクリート壁面に当接されて足掛具１を支持し、またコンクリート壁への埋め込み部の長さが決められる。そして、該鍔１３の外周近傍で前記パッキン１２との対向面に複数の突起１４，１４が形成されている。
【００１６】
前記パッキン１２は中心部に前記脚部４の挿通用の孔１５を形成すると共に断面形状をテーパー状とし、前記鍔１３との対向面に前記鍔１３に形成した各突起１４が挿入される凹孔１６を形成し、該パッキン１２の外径は鍔１３の外径より大きくなっている。なお、前記凹孔１６はパッキン１２の厚さにより有底凹孔若しくは貫通凹孔である。
【００１７】
そして、前記脚部４の一部を覆う合成樹脂６の先端部に段部１７を形成すると共に該先端部から芯金５を延出させ、該延出部の先端にはナット１８を螺合するねじ部１９を形成している。該ナット１８は、コンクリート壁への埋め込み部に止水パッキンを構成する樹脂製スペーサー２０およびワッシャ２１を前記延出部に挿通し配置して締め付けるようにされている。該樹脂製スペーサー２０は、外形が円錐台形で、大径面２２の中心には貫通孔２３が形成され、円錐台形の小径面２４が前記段部１７に当接される。
【００１８】
以上のような構成からなる足掛具１において、先ず脚部４側からパッキン１２を挿入し、該パッキン１２に形成された凹孔１６に前記鍔１３に形成した各突起１４を挿入しパッキン１２を鍔１３に固着させる。そして、マンホ―ル等の内壁であるコンクリ―ト壁に穿設した貫通孔に足掛具１の脚部４がパッキン１２，１２を介して鍔１３，１３がコンクリート壁面に当接されるように挿入し、マンホ―ル等の外壁面側から脚部４の延出部にスペーサー２０およびワッシャ２１を挿入してナット１８を締め付ける。このナット１８を締め付けにより、スペーサー２０が前記段部１７に当接・押圧されて密着し、スペーサー２０の円錐部がコンクリ―ト壁に穿設した貫通孔に圧着されると共にパッキン１２，１２を介した鍔１３，１３がコンクリート壁面に強固に当接される。
このようにして、足掛具１はマンホール壁の貫通孔に水密・強固に取り付けられると共に鍔１３が確実にコンクリート壁面に当接され、足掛具１が安定してマンホール壁面に設置される。
そして、足掛具１の長期使用においてもパッキン１２の廻りが防止されているので、足掛具１ががたつくことなくパッキン１２の壁当接面が正確に常にコンクリート壁面に当接しており、長期使用に耐え得る足掛具１となる。
【００１９】
また、図５（ａ），（ｂ），（ｃ），（ｄ），（ｅ）は、マンホール壁面の湾曲度に適合すべくテーパー角の異なるパッキンの拡大正面図であり、該テーパー角２５の異なるパッキン１２はマンホールの壁面が例えば直壁，曲壁である場合にその湾曲度に適合させ、パッキン１２を選択し採用することにより、鍔１３が確実にコンクリート壁面に当接され、足掛具１がより安定してマンホール壁面に設置されることになる。
【００２０】
なお、本実施例おいては、脚部４，４はナット１８を締め付けてマンホール壁に強固に取り付けたものを例示したが、本発明は上記した実施形態に限定されるものではなく、特許請求の範囲に記載した構成を変更しない限り、例えばマンホール壁に孔を穿設し接着剤等で脚部を固着する足掛具等に実施も可能である。
【図面の簡単な説明】
【００２１】
【図１】本発明の実施例に係るマンホ―ル等用足掛具の平面図である。
【図２】図１の正面図である。
【図３】図１の側面図である。
【図４】足掛具の側部及び脚部の要部説明図である。
【図５】（ａ），（ｂ），（ｃ），（ｄ），（ｅ）マンホール壁面の湾曲度に適合すべくテーパー角の異なるパッキンの拡大正面図である。
【符号の説明】
【００２２】
１              足掛具
２              足踏部
３              側部
４              脚部
５              芯金
６              合成樹脂
１２            パッキン
１３            鍔
１４            突起
１５            脚部挿通用の孔
１６            凹孔
２５            テーパー角
【図１】
2005232770.tif 000003
【図２】
2005232770.tif 000004
【図３】
2005232770.tif 000005
【図４】
2005232770.tif 000006
【図５】
2005232770.tif 000007